(57)【特許請求の範囲】
【請求項１】
画面のスクロールに関連するデータ及び指示を入力するための入力部と、
車両運行図表の画像と画面スクロールに関連するデータ及びスクロール指示に基づく制御データが書き込まれるスクロール制御情報テーブルとを記憶する記憶部と、
車両運行図表を部分的に表示する表示部と、
表示画面上に表示する矩形の位置及び対応する画面上のアドレス等を計算する演算部と、
前記記憶部に格納された画像から表示すべき画像データを抽出して前記表示部に出力する画像処理部と、
前記入力部からダイヤスジが指定され傾き追跡スクロールモードが入力されると、前記スクロール制御情報テーブルに書き込み、前記記憶部，演算部，画像処理部を制御して指定されたダイヤスジの表示画面境界付近の傾き角度で画面をスクロールする制御部とを備えたダイヤ表示装置。
【請求項２】
画面のスクロールに関連するデータ及び指示を入力するための入力部と、
車両運行図表の画像と画面スクロールに関連するデータ及びスクロール指示に基づく制御データが書き込まれるスクロール制御情報テーブルとを記憶する記憶部と、
車両運行図表を部分的に表示する表示部と、
表示画面上に表示する矩形の位置及び対応する画面上のアドレス等を計算する演算部と、
前記記憶部に格納された画像から表示すべき画像データを抽出して前記表示部に出力する画像処理部と、
前記入力部からダイヤスジが指定され境界点追跡スクロールモードが入力されると、前記スクロール制御情報テーブルに書き込み、前記記憶部，演算部，画像処理部を制御して指定されたダイヤスジの表示画面の境界の座標を画面中央に移動させるように画面をスクロールする制御部とを備えたダイヤ表示装置。
【請求項３】
画面のスクロールに関連するデータ及び指示を入力するための入力部と、
車両運行図表の画像と画面スクロールに関連するデータ及びスクロール指示に基づく制御データが書き込まれるスクロール制御情報テーブルとを記憶する記憶部と、
車両運行図表を部分的に表示する表示部と、
表示画面上に表示する矩形の位置及び対応する画面上のアドレス等を計算する演算部と、
前記記憶部に格納された画像から表示すべき画像データを抽出して前記表示部に出力する画像処理部と、
前記入力部からダイヤスジが指定され傾き追跡スクロールモードが入力されると、前記スクロール制御情報テーブルに書き込み、前記記憶部，演算部，画像処理部を制御して指定されたダイヤスジの表示画面境界付近の傾き角度で画面をスクロールし、前記入力部からダイヤスジが指定され境界点追跡スクロールモードが入力されると、前記スクロール制御情報テーブルに書き込み、前記記憶部，演算部，画像処理部を制御して指定されたダイヤスジの表示画面の境界の座標を画面中央に移動させるように画面をスクロールする制御部とを備えたダイヤ表示装置。
【請求項４】
画面のスクロールに関連するデータ及び指示を入力するための入力部と、車両運行図表の画像と画面スクロールに関連するデータ及びスクロール指示に基づく制御データが書き込まれるスクロール制御情報テーブルとを記憶する記憶部と、車両運行図表を部分的に表示する表示部と、表示画面上に表示する矩形の位置及び対応する画面上のアドレス等を計算する演算部と、前記記憶部に格納された画像から表示すべき画像データを抽出して前記表示部に出力する画像処理部と、前記入力部から入力された画面スクロール指示に基づいて指示されたスクロールに必要な各種データを取り込み、前記スクロール制御情報テーブルに書き込み、前記スクロール指示を実行するために必要な情報を計算し該計算結果を前記スクロール制御情報テーブルに書き込み、更に前記スクロール指示に従うスクロール制御指示データを編集し、前記演算部に出力する制御部とを有するダイヤ表示装置において、
前記入力部によるスクロール指示には、スクロールの角度が変更可能な固定角度でスクロールする固定角度スクロールモードと、指定されたダイヤスジを該ダイヤスジの表示画面境界付近の傾きの角度で追跡するように画面をスクロールする傾き追跡スクロールモードと、指定されたダイヤスジと表示画面の境界点の座標を画面中央に移動させるように画面をスクロールする境界点追跡スクロールモードとが含まれることを特徴とするダイヤ表示装置。
【請求項５】
前記スクロール制御情報テーブルには、追跡スクロールモードの指定の有無を示す指定有無フラグ、追跡スクロールモードのタイプを識別するための追跡タイプフラグ、指定ダイヤスジを特定するための指定ダイヤスジＮＯ．、固定角度スクロールモードのスクロール角度を示す固定角度データ、指定ダイヤスジと表示画面との境界点付近の該指定ダイヤスジの傾き，方向，境界点座標を含む指定ダイヤスジ情報が書き込まれることを特徴とする請求項４に記載のダイヤ表示装置。
【請求項６】
前記制御部は、前記入力部により固定角度スクロールモードが指示され、かつ、その固定角度を変更するように角度が設定された際、指定された車両のダイヤスジの傾きの平均値を計算し、その傾きの平均値をスクロール角度として画面をスクロールさせるように画像表示を制御することを特徴とする請求項４または５に記載のダイヤ表示装置。
【請求項７】
前記制御部は、前記入力部により傾き追跡スクロールモードが指定された際に、指定されたダイヤスジの表示画面境界付近の傾きをスクロールする度に抽出し、この傾きを使用して指定されたダイヤスジを追跡して画面をスクロールさせるように画像表示を制御することを特徴とする請求項４または５に記載のダイヤ表示装置。
【請求項８】
前記制御部は、前記入力部により境界点追跡スクロールモードが指定された際に、指定されたダイヤスジと表示画面の境界点の座標をスクロールする度に抽出し、この座標を画面中央に移動させ、指定ダイヤスジを追跡して画面をスクロールさせるように画像表示を制御することを特徴とする請求項４または５に記載のダイヤ表示装置。
【発明の詳細な説明】
【０００１】
【産業上の利用分野】
本発明は、車両運行ダイヤ作成システムの表示装置に関する。また、画像サイズがスクロールを必要とする大きさの線形ダイヤグラム情報表示装置に適応可能であり、更にカーナビゲーションにも適用可能である。
【０００２】
【従来の技術】
図９はグラフィックディスプレイに表示される車両運行ダイヤ図表の一例を示している。このように、運行ダイヤ図表は、時刻及び駅名などを各々横軸及び縦軸に取ったものであるが、一般に縦、横に大きく、グラフィックディスプレイの表示部にすべてを表示することは不可能であり、その一部分しか表示できない。従って、運行ダイヤ図表のディスプレイに表示されていない部分を参照しようとする場合には、従来では、スクロール移動キ−を何度か操作することにより、縦方向・横方向の移動を繰り返し、未表示部分を表示していた。上記した従来技術としては、例えば特開平４−１２１２７７号公報に開示された発明が存在する。
【０００３】
一方、画像データの表示における煩雑なスクロール操作を軽減するための従来技術としては、画像を斜めにスクロールさせる方法を提供するものとして、例えば、特開昭５７−６０３７６号公報及び特開昭６３−２２９４８７号公報に開示された発明が存在する。
【０００４】
【発明が解決しようとする課題】
車両運行ダイヤ図表において、各々のダイヤグラム（ダイヤスジ）は表示画面上を斜めに走っており、従って、任意のダイヤグラムを時間軸に沿って参照する場合、従来の運行ダイヤの表示装置では、縦横のどちらか一方向のみのスクロールしかできないため、縦横のスクロールを組み合わせるという煩雑な操作を行わなければならないという問題があった。
【０００５】
一方、上記したように、画像データを斜め方向にスクロールさせるという従来技術も存在するが、これらは、ダイヤグラムの傾きが異なる等の運行ダイヤ図表における特殊事情を全く考慮していないものであった。
【０００６】
本発明はこのような事情に鑑みてなされたものであり、ダイヤグラムの方向へ表示画面をスクロールさせることにより効率的な操作を行うことのできるダイヤ表示装置を提供することを目的とする。
【０００７】
【課題を解決するための手段】
本発明のダイヤ表示装置は、画面のスクロールに関連するデータ及び指示を入力するための入力部と、車両運行図表の原画像を記憶する記憶部と、車両運行図表を部分的に表示する表示部と、表示画面上に表示する矩形の位置及び、対応する原画像上のアドレス等を計算する演算部と、前記記憶部に格納された原画像データの表示すべき部位を抽出し前記表示部に出力する画像処理部と、前記入力部の出力を取り込み、画像表示制御全体を司る制御部とを有するダイヤ表示装置において、前記記憶部は前記入力部により入力された画面スクロールに関連するデータ及びスクロール指示に基づく制御データが書き込まれるスクロール制御情報テーブルを有すると共に、前記制御部は、前記入力部から入力された画面スクロール指示に基づいて指示されたスクロールに必要な各種データを取り込み、前記スクロール制御情報テーブルに書き込むと共に、前記スクロール指示を実行するために必要な情報を計算し該計算結果を前記スクロール制御情報テーブルに書き込み、更に前記スクロール指示にしたがったスクロール制御指示データを編集し、前記演算部に出力することを特徴とする。
【０００８】
また本発明のダイヤ表示装置は、前記入力部によるスクロール指示はスクロールの角度が変更可能な固定角度でスクロールする固定角度スクロールモード、指定されたダイヤスジを該ダイヤスジの表示画面境界付近の傾きの角度で追跡するように画面をスクロールする傾き追跡スクロールモード及び指定されたダイヤスジと表示画面の境界点の座標を画面中央に移動させるように画面をスクロールする境界点追跡スクロールモードが含まれることを特徴とする。
【０００９】
また本発明のダイヤ表示装置は、前記スクロール制御情報テーブルには追跡スクロールモードの指定の有無を示す指定有無フラグ、追跡スクロールモードのタイプを識別するための追跡タイプフラグ、指定ダイヤスジを特定するための指定ダイヤスジＮＯ．、固定角度スクロールモードのスクロール角度を示す固定角度データ、指定ダイヤスジと表示画面との境界点付近の該指定ダイヤスジの傾き、方向、境界点座標を含む指定ダイヤスジ情報が書き込まれることを特徴とする。
【００１０】
本発明のダイヤ表示装置において前記制御部は、前記入力部により固定角度スクロールモードが指示され、かつその固定角度を変更するように角度が設定された際、指定された車両のダイヤスジの傾きの平均値を計算し、その傾きの平均値をスクロール角度として画面をスクロールさせるように画像表示制御を行なうことを特徴とする。
【００１１】
また本発明のダイヤ表示装置において前記制御部は、前記入力部により傾き追跡スクロールモードが指定された際に、指定されたダイヤスジの表示画面境界付近の傾きをスクロールする度に抽出し、この傾きを使用して指定されたダイヤスジを追跡して画面をスクロールさせるように画像表示制御を行なうことを特徴とする。
【００１２】
また本発明のダイヤ表示装置において前記制御部は、前記入力部により境界点追跡スクロールモードが指定された際に、指定されたダイヤスジと表示画面の境界点の座標をスクロールする度に抽出し、この座標を画面中央に移動させることにより、指定ダイヤスジを追跡して画面をスクロールさせるように画像表示制御を行なうことを特徴とする。
【００１３】
このように構成することにより従来のような縦または横方向のみのスクロールをする機能に加えて、操作者が意図した方向へ画面をスクロールさせることができる変更可能な固定角度スクロールと、操作者が指定したダイヤスジをあたかも追いかけるように画面をスクロールさせる指定ダイヤスジ追跡スクロールを実現可能とし、ダイヤスジの方向に表示画面をスクロールさせることができる。
【００１４】
【作用】
上記構成のダイヤ表示装置では、多機能スクロールにより、運行ダイヤ図表参照時の操作が軽減され、必要な情報を迅速に獲得することが可能となる。
【００１５】
【実施例】
以下、本発明の実施例を図面を参照して説明する。図１には本発明に係るダイヤ表示装置の一実施例の全体構成が示されている。同図においてダイヤ表示装置は、入力部としての操作部１０と、画面表示全体の制御をつかさどる制御部１２と、車両運行図表の原画像を記憶する記憶部としてのメモリ２０と、表示画面上の位置や表示される矩形に対応するメモリ２０内の画像データ上のアドレス等を計算する演算部としての表示位置・表示矩形計算部１４と、車両運行図表を部分的に表示する表示部１８と、メモリ２０内の画像データの表示すべき部位に相当する画像データを抽出し、表示部１８に出力する画像処理部１６とを有している。
【００１６】
操作部１０は、テンキーを含む各種キーを有するキーボード等から構成され、画面のスクロールに関連する各種データ及び指示が入力できるようになっている。  具体的には画面のスクロール方向を指示するスクロールキー（縦方向、横方向の各二つ、斜め方向について四つ）、通常の縦、横方向をスクロールする通常のスクロールモードを指定するための通常スクロールモード設定キー、スクロールの角度が変更可能な固定角度でスクロールする固定角度スクロールモードを指定するための固定角度スクロールモード設定キー、追跡すべき指定されたダイヤスジをこのダイヤスジの表示画面境界付近の傾きの角度で追跡するように画面をスクロールする傾き追跡スクロールモードを指定するための傾き追跡スクロールモード設定キー、指定されたダイヤスジと表示画面の境界点の座標を画面中央に移動させるように画面をスクロールする境界点追跡スクロールモードを指定するための境界点追跡スクロールモード設定キー、上記固定角度スクロールモードにおいてスクロール角度を変更する際に角度指定をするためのキー、等の各種キーが設けられている。
【００１７】
またメモリ２０には操作部１０より入力される画面スクロールに関連するデータ及びスクロール指示に基づく制御データが書き込まれるスクロール制御情報テーブル４０が設けられている。このスクロール制御情報テーブル４０に書き込まれる各種データについては後述する。
【００１８】
更に制御部１２は、スクロール制御情報入力処理部３０と、スクロール制御情報計算処理部３１と、スクロール制御処理部３２とから構成されている。
【００１９】
図１における制御部１２の具体的構成及び、メモリ２０内のスクロール制御情報テーブル４０は本発明の核となる部分であり、以下にその構成について説明する。図１においてスクロール制御情報入力処理部３０は操作部１０より入力されるスクロール制御情報を制御する部分であり、その概略フローチャートを図２に示す。図２において操作部１０により画面スクロールに関連する何らかの指示がなされた場合（ステップ５０）、その入力された指示がスクロールキーによるものである場合には（ステップ５１）、図１におけるスクロール制御処理部３２を呼び出す（ステップ５２）。その際、そのスクロールキーの指示する方向は引数として受け渡される。
【００２０】
また入力された指示が、固定角度の変更であった場合は、角度の指定処理（角度指定に必要なデータの取り込み）を行なう（ステップ５３、５４）。ここで、固定角度の変更とは、あらかじめ設定された角度にて表示画面をスクロールさせる機能である固定角度スクロールにおいて、操作者がその角度を変更したい場合に行なう指示であり、角度の指定手段として、本実施例では次の３つを用意する。
【００２１】
（１）数値入力による角度指定。
【００２２】
（２）ダイヤ表示画面に配置した、角度指定専用の入力画面からの指定。
【００２３】
（３）代表となるダイヤスジの角度指定。
【００２４】
（１）は、キー入力により角度を指定する手段であり、（２）は図３（ａ）に示すように、表示部１８の表示画面上に表示された円形の角度スケール上にスクロール角度を示す矢印２１を配置した角度指定入力部を設け、操作者はこの矢印をマウスポインタにより移動することにより、意図する方向を指定する、または図３（ｂ）に示すように、表示部１８のダイヤ表示画面２４の外側にスクロール方向指定枠（角度スケール）２３を設け、操作者はこの枠２３上をマウスポインタによりピックし、意図する方向を指定するといったような図的アプローチによる角度指定手段であり、ダイヤ表示画面と同一の画面に配置することで操作者が意図する角度を容易に決定できるものである。
【００２５】
（３）は表示画面上のダイヤスジの中から、操作者がスクロールさせたい角度に最も近い角度を持つダイヤスジをマウスポインタでクリックまたは、ダイヤスジＩＤのＮＯ．をキー入力で選択することによる角度指定手段である。指定されたダイヤスジの角度（傾き）はスクロール制御情報計算処理部３１にて計算される。操作者は上記３つ方法のいずれかにより角度を指定することが可能である。
【００２６】
さて入力された指示が追跡スクロールモードの指定である場合には、追跡スクロールモード登録処理として、追跡スクロールのタイプの選択と、どのダイヤスジを追跡するかの指定処理を実行する（ステップ５７、５８）。ここで追跡スクロールとは、操作者により指定されたダイヤスジを追い掛けるように表示画面をスクロールさせることを目的とし、既述したように以下の２つのタイプがある。
【００２７】
（１）指定されたダイヤスジの傾きによるスクロール（傾き追跡スクロールモード）。
【００２８】
（２）指定されたダイヤスジの境界点によるスクロール（境界点追跡スクロールモード）。
【００２９】
前者は図１１に示すようなスクロールを行なうものであり、ダイヤスジの表示画面上の境界付近の傾きでスクロールし、後者は図１２に示すようなスクロールを行なうもので、ダイヤスジの表示画面上の境界点を表示画面の中央へ移動させる方向でスクロールする。前者はスクロールの移動量が後者に比べて少なく、指定されたダイヤスジの未表示部分を細かく参照する場合に有効であり、後者は移動量も大きく、指定されたダイヤスジの特定の場所を速やかに参照する、または、最初から指定したダイヤスジが表示画面上で参照しにくい場所にある場合に有効なスクロールである。
【００３０】
なお、ダイヤスジの指定は、表示画面上のダイヤスジをマウスポインタによってクリックする、または、ダイヤスジＩＤのＮＯ．を操作者がキー入力することにより行なう。
【００３１】
また入力された指示が指定ダイヤスジの追跡スクロールモードの解除であれば、メモリ２０におけるスクロール制御情報テーブル４０のその追跡スクロールモードの解除の指示に関連する部分の情報をクリアする（ステップ５９、５６）。
【００３２】
図１におけるスクロール制御情報計算処理部３１は、固定角度スクロールの角度変更、及び、指定ダイヤスジの追跡スクロールモードの設定がなされている場合に、主に呼び出され、指定されたダイヤスジの傾き計算等の演算処理を行ない、その結果をスクロール制御情報テーブル４０に書き込む（ステップ５５、５６）。
【００３３】
次にスクロール制御情報計算処理部３１の処理内容を図４を参照して説明する。同図において、指定ダイヤスジの追跡スクロールモードが設定されている場合には、ダイヤスジの方向、及びダイヤスジと表示画面の境界点の座標、指定ダイヤスジの傾き（縦：横比）を計算する（ステップ７０、７１、７２）。ここで、指定ダイヤスジの傾きは、このスクロールの目的から、表示画面上の境界付近の傾きを対象とする。その計算法は図６に示すように、時間軸方向の移動量ｄと距離方向の移動量ｈの比により傾きは計算される。境界付近の幅３３は、通常の縦／横のスクロールにて１度に移動する画面の量が適当である。
【００３４】
一方、固定角度スクロールモードにおいてスクロールの固定角度を変更するために、この処理が呼び出された場合にはまず、角度指定の手段が判定される（ステップ７０、７３）。
【００３５】
角度の直接指定による場合には、図２における角度指定処理（ステップ５４）によって獲得された角度の値を、実際のスクロール制御時を考慮し、縦対横の整数比に変換する（ステップ７４）。
【００３６】
また代表となるダイヤスジの指定による固定角度の変更の場合は、図２における角度指定処理（ステップ５４）により獲得された指定ダイヤスジの傾きの平均値を算出する（ステップ７５）。
【００３７】
ダイヤスジの平均傾きの計算方法としては、図５に示すように、
（ａ）表示画面上のダイヤスジの平均を計算する。
【００３８】
（ｂ）表示画面上のダイヤスジの水平部を除いた平均値を計算する。
【００３９】
等のような方法が考えられるが、ここでは最も実際の使用に即すると思われる図５（ｂ）に示す計算方法により行なうものとする。
【００４０】
ステップ７２、７４、７５の各計算結果はメモリ２０内のスクロール制御情報テーブル４０に書き込まれる（ステップ７６）。
【００４１】
次に、図１におけるスクロール制御情報テ−ブル４０のデータ構成について説明をする。図７にスクロール制御情報テ−ブル４０のデータ構成を示す。
【００４２】
このスクロール制御情報テ−ブルは指定ダイヤスジの追跡スクロールモード設定の有無を識別するための指定有無フラグ４０Ａ、追跡スクロールモードのタイプを識別するための追跡タイプフラグ４０Ｂ、また、指定ダイヤスジの追跡スクロールモードの設定がされている場合は、そのダイヤスジのＩＤのＮＯ．を特定するための指定ダイヤスジＮＯ．４０Ｃ、固定角度スクロール時の角度（縦：横比）４０Ｄ、４０Ｅ、及び、指定ダイヤスジ情報４０Ｆから構成されている。
【００４３】
固定角度スクロール時の角度は、時間軸に対して＋方向／−方向（上り方向／下り方向）それぞれに対して入力時に指定可能とするために方向別に情報４０Ｄ、４０Ｅを有している。
【００４４】
また、指定ダイヤスジ情報４０Ｆは例えば、図１０に示すように指定ダイヤスジの表示画面との境界付近の傾き１、２の大きさ（縦：横比）を示すデータ８０Ａ、８０Ｂ及び、方向（時間軸に対して＋方向または、−方向（上り／下り）であるかを表す）データ８１Ａ、８１Ｂ、境界点の座標を示すデータ８２Ａ、８２Ｂからなっている。これらの情報の登録は時間軸の小さいものから順に行なわれる。
【００４５】
図１におけるスクロール制御処理部３２は、実際のスクロール処理を司る部分であり、その処理内容を図８に示す。同図を参照して、順次スクロール制御処理部３２の動作を説明する。
【００４６】
図８において、まず、操作部１０によりスクロールキーのキー入力に基づいてスクロールの方向を取得する（ステップ１００）。ここで、スクロールキーは固定角度斜めスクロールを実現するため、縦・横方向の各２つのほかに、斜めの方向を指すものを操作部１０または、表示部１８に４つをそれぞれ有している。
【００４７】
次に現在指定ダイヤスジの追跡スクロールモードが設定されているか否かをスクロール制御情報テーブル４０を参照して判定する（ステップ１０１）。
【００４８】
追跡スクロールモードが設定されていた場合には、その設定されている追跡スクロールのタイプに従い、スクロール制御情報テーブル４０より、指定ダイヤスジ情報の傾きまたは、境界点の座標を取得する（ステップ１０２、１０３、１０４）。指定ダイヤスジ情報から、傾きの大きさ（縦：横比）、または境界点の座標取得時は、既に取得したスクロールキーの方向とダイヤスジの傾きの方向から、２つの情報の内どちらを取得するかを判断する。ただし、上／下方向のスクロールキーは、折返しのあるダイヤスジを考慮し、追跡スクロールの操作対象スクロールキーとはしない。
【００４９】
また、追跡スクロールモードの設定があった場合には、設定された追跡スクロールモードを実行するのに必要な情報をステップ１０３またはステップ１０４で取得後、スクロール制御情報テーブル４０のデータを更新するため、スクロール制御情報計算処理部３１（図１）を呼び出し、その演算結果をスクロール制御情報テーブル４０に書き込んでおき（ステップ１０７）、次のステップ１０８に処理は移行する。
【００５０】
一方、追跡スクロールモードの指定がなく、スクロールキーの方向が斜めであった場合には、その方向に従いスクロール制御情報テーブル４０を参照して固定角度スクロールの角度（縦：横比）のデータを取得し（ステップ１０５、１０６）、ステップ１０８に移行する。
【００５１】
また追跡スクロールモードの指定がなく、スクロールキーの方向が縦／横である場合には直接、ステップ１０８に移行する（ステップ１０５）。
【００５２】
ステップ１０８では追跡スクロールモードの設定の有無、スクロール制御情報テーブル４０より取得した情報、スクロールキーの指示する方向により、スクロール制御の指示データを編集し、図１の表示位置・表示矩形計算部１４へその編集したデータを渡すことにより本発明によるスクロールが可能となる。
【００５３】
【発明の効果】
本発明によれば運行ダイヤ図表参照時の煩わしいスクロール操作が軽減され、参照したい部分を迅速に表示画面へ表示することが可能となる。
【図面の簡単な説明】
【図１】本発明に係るダイヤ表示装置の一実施例の全体構成を示すブロック図である
【図２】図１におけるスクロール制御情報入力処理部の処理内容を示すフローチャートである。
【図３】固定角度スクロールの角度指定方法を示す説明図である。
【図４】スクロール制御情報計算処理部の処理内容を示すフローチャートである。
【図５】ダイヤスジの平均傾きの計算法の概略を示す説明図である。
【図６】ダイヤスジの表示画面の境界点付近の傾きの計算処理を示す説明図である
【図７】スクロール制御情報テーブルのデータ構成を示す説明図である。
【図８】スクロール制御処理部の処理内容を示すフローチャートである。
【図９】車両運行ダイヤグラムの一例を示す説明図である。
【図１０】標準的なダイヤスジの一例を示す説明図である。
【図１１】傾き追跡スクロールモード実行時の表示画面の変化を示す説明図である。
【図１２】境界点追跡スクロールモード実行時の表示画面の変化を示す説明図である。
【符号の説明】
１０  操作部
１２  制御部
１４  表示位置・表示矩形計算部
１６  画像処理部
１８  表示部
２０  メモリ
２１  角度指定矢印
２２  表示画面
２３  角度指定枠（スケール）
２４  ダイヤ表示画面
２５  ダイヤ表示画面中央点（スケール原点）
２６  マウスポインタ
３０  スクロール制御情報入力処理部
３１  スクロール制御情報計算処理部
３２  スクロール制御処理部
３３  ダイヤ表示画面境界付近の一定幅
４０  スクロール制御情報テーブル
【図１】
0003595884.tif 000002
【図２】
0003595884.tif 000003
【図３】
0003595884.tif 000004
【図４】
0003595884.tif 000005
【図５】
0003595884.tif 000006
【図６】
0003595884.tif 000007
【図７】
0003595884.tif 000008
【図８】
0003595884.tif 000009
【図９】
0003595884.tif 000010
【図１０】
0003595884.tif 000011
【図１１】
0003595884.tif 000012
【図１２】
0003595884.tif 000013